(57)【特許請求の範囲】
【請求項１】
治療の目的で患者に繰り返し力を与えるために使用される携帯型マッサージ装置にして、
長手方向軸線を有し、人により把持されるに適したハウジングと、
出力軸を有し、前記ハウジング内に軸線に沿って取り付けられ、前記出力軸は前記ハウジングの前記長手方向軸線に沿って前方へ延在するモータと、
前記出力軸に直接連結され、前記出力軸の回転運動を軌道振動に変換し、前記ハウジングより振動絶縁された振動部材と、
を含み、
前記振動部材は更に
軸線方向の駆動軸と、
前記駆動軸の周りにて軸線に沿って取り付けられ、複数個の軸受上に前記駆動軸を支持する後側支持体と、
前記後側支持体より前方にて前記駆動軸に軸線に沿って固定された偏心部材であって、前面及び背面と前記前面より突出し前記駆動軸の一部を囲繞する一体的なオフセットカムとを有する偏心部材と、
前記オフセットカムの周りにて軸線に沿って取り付けられ、前記駆動軸が回転するときには軌道運動にて振動する振動プレートと、
を含んでいることを特徴とする携帯型マッサージ装置。
【請求項２】
請求項１に記載の携帯型マッサージ装置であって、前記ハウジングは更に開いた前端を含み、前記振動部材は前記前端内にて前記ハウジングに取り付けられており、前記振動部材の振動部は前記前端の前縁を越えて延在していることを特徴とする装置。
【請求項３】
請求項１に記載の携帯型マッサージ装置であって、前記偏心部材は釣合い錘を含んでいることを特徴とする装置。
【請求項４】
請求項３に記載の携帯型マッサージ装置であって、前記釣合い錘は前記オフセットカムの最大オフセットの点とは軸線に対し反対側の位置に配置されており、前記釣合い錘は前記偏心部材の振動を低減することを特徴とする装置。
【請求項５】
請求項３に記載の携帯型マッサージ装置であって、前記釣合い錘は前記偏心部材の外周面より内側に固定されていることを特徴とする装置。
【請求項６】
請求項３に記載の携帯型マッサージ装置であって、前記釣合い錘は前記偏心部材の前記前面と前記背面との間に配置されていることを特徴とする装置。
【請求項７】
請求項１に記載の携帯型マッサージ装置であって、前記振動部材は前記後側支持体により前記ハウジングに固定されていることを特徴とする装置。
【請求項８】
請求項７に記載の携帯型マッサージ装置であって、前記振動プレートは前記後側支持体に対し相対的に回転しないよう固定されていることを特徴とする装置。
【請求項９】
請求項１に記載の携帯型マッサージ装置であって、前記振動部材は取り外し可能なマッサージアダプタを受け入れるよう構成されていることを特徴とする装置。
【請求項１０】
請求項１に記載の携帯型マッサージ装置であって、前記モータは速度調節可能なモータであることを特徴とする装置。
【請求項１１】
治療の目的で患者に繰り返し力を与えるために使用される携帯型マッサージ装置にして、
長手方向軸線を有し、人により把持されるに適したハウジングと、
出力軸を有し、前記ハウジング内に軸線に沿って取り付けられ、前記出力軸は前記ハウジングの前記長手方向軸線に沿って前方へ延在するモータと、
前記ハウジングに取り付けられ且つ前記出力軸に直接連結され、前記出力軸の回転運動を軌道振動に変換し、回転する釣合い錘により前記ハウジングより振動絶縁された振動部材と、
を含み、
前記振動部材が
軸線方向の駆動軸と、
前記駆動軸の周りにて軸線に沿って取り付けられ、複数個の軸受上に前記駆動軸を支持する後側支持体と、
前記後側支持体より前方にて前記駆動軸に軸線に沿って固定された偏心部材であって、前面及び背面と前記前面より突出し前記駆動軸の一部を囲繞する一体的なオフセットカムとを有する偏心部材と、
前記オフセットカムの周りにて軸線に沿って取り付けられ、前記駆動軸が回転するときには軌道運動にて振動する振動プレートと、
を含んでいることを特徴とする携帯型マッサージ装置。
【請求項１２】
請求項１１に記載の携帯型マッサージ装置であって、前記釣合い錘は前記振動部材内にてオフセットカムに固定されており、前記オフセットカムは前記回転運動を前記軌道振動に変換するよう構成されていることを特徴とする装置。
【請求項１３】
治療の目的で患者に繰り返し力を与えるために使用される携帯型手持ち式マッサージ装置にして、
モータ組立体外まで延在する回転出力軸を有するモータ組立体と、
前記モータ組立体に固定され、偏心カムを含み、前記偏心カムは前記回転出力軸に直接連結された駆動軸に取り付けられており、前記偏心カムは前記回転出力軸の回転運動を軌道振動に変換するバイブレータヘッド組立体と、
を含み、
前記バイブレータヘッド組立体は前記モータ組立体に固定され軸線に沿って取り付けられ前記駆動軸を支持する後側プレートと、前記偏心カムに取り付けられたアダプタプレートと、前記アダプタプレートを前記後側プレートに固定する可撓性の管状コネクタとを含んでいることを特徴とする携帯型手持ち式マッサージ装置。
【請求項１４】
請求項１３に記載の携帯型マッサージ装置であって、前記モータ組立体内に軸線に沿って取り付けられた速度調節可能なモータを含み、前記モータは前記出力軸に直接連結されていることを特徴とする装置。
【請求項１５】
請求項１４に記載の携帯型マッサージ装置であって、前記速度調節可能なモータは電動機であることを特徴とする装置。
【請求項１６】
請求項１３に記載の携帯型マッサージ装置であって、前記可撓性の管状コネクタは前記軌道振動中前記アダプタプレートが回転することを阻止することを特徴とする装置。
【請求項１７】
請求項１３に記載の携帯型マッサージ装置であって、前記アダプタプレートは取り外し可能なマッサージアダプタを受け入れるよう構成されていることを特徴とする装置。
【請求項１８】
治療の目的で患者に繰り返し力を与えるために使用される携帯型マッサージ装置にして、
長手方向軸線を有し、人により把持されるに適したハウジングと、
出力軸を有し、前記ハウジング内に軸線に沿って取り付けられ、前記出力軸は前記ハウジングの前記長手方向軸線に沿って前方へ延在するモータと、
前記出力軸に直接連結され、前記出力軸の回転運動を軌道振動に変換する軸線に沿って取り付けられた偏心カムを含む振動部材と、
前記偏心カムと前記ハウジングとの間にて前記出力軸に連結された振動減衰部材であって、前記長手方向軸線の周りにて軸線に沿って取り付けられ前記偏心カムの最大オフセットの点に対向する釣合い錘を含む振動減衰部材と、
を含み、
前記振動部材が
軸線方向の駆動軸と、
前記駆動軸の周りにて軸線に沿って取り付けられ、複数個の軸受上に前記駆動軸を支持する後側支持体と、
前記後側支持体より前方にて前記駆動軸に軸線に沿って固定された偏心部材であって、前面及び背面と前記前面より突出し前記駆動軸の一部を囲繞する一体的なオフセットカムとを有する偏心部材と、
前記オフセットカムの周りにて軸線に沿って取り付けられ、前記駆動軸が回転するときには軌道運動にて振動する振動プレートと、
を含んでいることを特徴とする携帯型マッサージ装置。
【発明の詳細な説明】
【０００１】
【発明の属する技術分野】
本発明は、医療上の利益が患者の体に振動力を与えることによって達成される医療装置に係り、更に詳細には患者の体内に於ける気管支の分泌物を緩くし移動し易くするために使用され、或いはマッサージ装置を保持する使用者が感じる振動のレベルを低減しつつ脚の如き体の種々の部分に力を与えたり、血行を改善したり、水腫流体を移動し易くしたり、筋肉をリラックスさせたりするために使用される携帯型手持ち式マッサージ装置に係る。
【０００２】
【従来の技術及び発明が解決しようとする課題】
これらの目的で従来より種々の方法及び装置が使用されている。気管支の分泌物を緩くするために使用されている一つの方法は手によるマッサージ及び打撃である。手によるマッサージ法に於いては、看護婦や付添い人が自分の手を使用して患者の背中や胸を打撃し、これにより患者の肺内の分泌物を緩くする必要がある。このことは患者にとって苦痛であり、また特に幼児や高齢者の患者の場合には骨折したり激しい打撲傷が発生することがある。更に患者の背中や胸を打撃する前に手がカップ状にされ、これにより衝撃点に吸引力が与えられる場合がある。しかしかかるカップ形のマッサージの場合にも打撲傷や骨折が発生する場合があり、多くの人により効果的ではないと考えられている。
【０００３】
また打撃型のマッサージ装置も気管支の分泌物を緩くするために従来より使用されている。この種のマッサージ装置は患者の背中又は胸上に配置され、振動部材が患者へ向う方向及びこれより離れる方向へ駆動されるよう作動される。この打撃型の運動は気管支の分泌物を緩くするが、詰まった領域より分泌物を移動させることができない。
【０００４】
現在使用されている他の一つのマッサージ装置は振動型のものであり、適用される患者の胸又は背中に垂直な軸線の周りに振動部材が回転する。この種のマッサージ装置は体に円形振動のマッサージ力を与えるが、分泌物が移動し易くなるよう分泌物を緩めるための打撃を与えることはない。更にマッサージ力は一方向ではなく円形パターンにて与えられる。
【０００５】
更に打撃型のマッサージ装置や振動型のマッサージ装置は血行を改善するためにも従来より使用されている。しかしこれらのマッサージ装置は血管内を流れる血液に対し一方向の衝撃力を与えるものではなく、更に振動型のマッサージ装置は皮膚の表面近傍に対してしか主要な振動効果を与えることができず、比較的深い位置にある細静脈流に対し実質的な効果を有しない。血行を改善すべく、付添い人は自分の手を患者のくるぶしの周りに配置し、強く押圧しつつ手を上方へ移動させ、これにより血流を心臓の方向へ圧搾する場合もある。このマッサージは非常に困難なものであり、付添い人に多大の労力を要求するものである。また脚の血行に同様の効果をもたらす交互押圧式のベルトが従来より使用されている。ベルトは患者の脚の周りに巻き付けられる一連のエアバッグよりなり、各エアバッグは脚の下端より上端まで圧力を漸次連続的に増大させ、これにより血流を心臓へ向けて脚の上方へ移動させる圧縮力が発生される。これらの装置は複雑であり、困難な同期制御が必要であり、患者の脚全体を包む必要がある。
【０００６】
これらと同様の問題が、老廃物を迅速に除去することができないことにより筋肉組織中に乳酸が蓄積することに起因して緊張し硬くなった筋肉をリラックスさせるために使用される従来の方法にも存在する。従来のマッサージ装置は筋肉に対し打撃や振動運動を与えるが、筋肉に対し連続的な一方向のストロークを与えることはできず、そのため筋肉中の血流の通常の流れ方向と同一の方向に老廃物を移動させることができない。
【０００７】
これらの種々の打撃型及び振動型のマッサージ装置が使用されるマッサージの種類に拘らず、これらのマッサージ装置に於いては発生される多大の振動エネルギがハウジングを介して使用者の手に伝達される。定期的にこれらのマッサージ装置を使用する看護婦や付添い人がかかる振動に長期間曝されると、手根管症候群の発生を含む繰り返し運動型の障害が生じることがある。更にマッサージ装置を経て多大の振動が伝達されることにより、駆動モータに対応して設けられた軸受に過剰の摩耗や裂け目が発生することによってマッサージ装置の有効寿命が低減されてしまうことがある。
【０００８】
従来技術はこれらの問題を解消しようとしており、例えば米国特許第４，１０２，３３４号公報に記載され本願出願人により製造されている装置には、モータの駆動軸と振動部材との間に伝達ケーブルが組み込まれ、モータ及びハウジング内の振動のレベルが低減されるようになっているが、マッサージ装置が大型になり、多くの場合モータハウジングのための別のスタンドや支持体が必要になるという問題がある。
【０００９】
【発明の概要】
本発明の一つの目的は、患者の体に振動運動を与える新規にして改良されたマッサージ装置を提供することである。
【００１０】
本発明の他の一つの目的は、自蔵式の携帯型マッサージ装置を提供することである。
【００１１】
本発明の更に他の一つの目的は、振動運動により発生される振動が使用者の手より絶縁されるマッサージ装置を提供することである。
【００１２】
本発明の更に他の一つの目的は、釣合い錘が振動部材のオフセンタ取り付けに対する釣合いをとることにより使用者の手に伝達される振動を低減するよう構成された携帯型マッサージ装置を提供することである。
【００１３】
本発明の更に他の一つの目的は、振動部材の振動を絶縁し多軸方向の捩じれを低減すべく釣合い錘がオフセンタ取り付け位置に近接して配置された携帯型マッサージ装置を提供することである。
【００１４】
本発明の更に他の一つの目的は、振動部材がモータの出力軸により直接駆動される携帯型マッサージ装置を提供することである。
【００１５】
本発明の更に他の一つの目的は、種々のアダプタが振動部材に取り付けられるよう構成された携帯型マッサージ装置を提供することである。
【００１６】
本発明の更に他の一つの目的は、打撃運動を生じるよう直角のアダプタが振動部材に取り付けられるよう構成された携帯型マッサージ装置を提供することである。
【００１７】
端的に言えば、本発明の携帯型手持ち式マッサージ装置は、患者の体内に於ける気管支の分泌物を緩くし移動し易くしたり、血行を改善したり、筋肉をリラックスさせたりする等の治療の目的で使用される。マッサージ装置はバイブレータヘッド組立体に直接接続された回転出力軸を有する無振動モータを含んでいる。出力軸の回転運動は、釣合い錘を有する偏心部材の一部として一体的に形成されたオフセットカムによりバイブレータヘッド組立体のアダプタ部内に於いて軸の中心線の周りの振動軌道運動に変換される。偏心部材の釣合い錘は使用者の手に伝達される振動を低減し、バイブレータヘッド組立体の振動を絶縁する。バイブレータヘッド組立体の不要な回転は、振動するアダプタ部材とモータに固定されたバイブレータヘッド組立体の静止部分との間に固定されたゴムブーツにより阻止される。振動を打撃運動に変換することができる直角のアプリケータを含む種々の医療に適したアプリケータがアダプタ部材に固定される。
【００１８】
【発明の実施の形態】
以下に添付の図を参照しつつ、本発明を好ましい実施形態について詳細に説明する。
【００１９】
添付の図に於いて、符号１０にて全体的に示された携帯型マッサージ装置はモータ組立体１２及びバイブレータヘッド組立体１４を含む種々の構成部材を有している。モータ組立体１２は直接連結部１６を介してバイブレータヘッド組立体１４へ回転動力を伝達し、バイブレータヘッド組立体１４内に於いて回転運動が振動軌道運動に変換される。
【００２０】
モータ組立体１２はモータハウジング１８を含み、該モータハウジング１８内には直流モータ２０及びモータ制御組立体（速度制御装置）２２が軸線に沿って取り付けられている。モータハウジング１８は互いに係合する左側サイド部材２４Ａ及び右側サイド部材２４Ｂ（図２参照）よりなるプラスチックにて射出成形された二部品式の部材であり、片手又は両手により把持されるに適している。組立てられた状態のモータハウジング１８は平坦なベース部２６と、モータ２０を囲繞する実質的に円筒形の本体部２８と、バイブレータヘッド組立体１４を部分的に囲繞するベル形のアダプタ収容部３０とを含んでいる。左側サイド部材２４Ａ及び右側サイド部材２４Ｂは互いに係合する内部ボス３４Ａ〜３４Ｆを貫通して延在するねじ３２Ａ〜３２Ｆにより標準的な要領にて互いに固定されている。内部強化リブ３６Ａ〜３６Ｄがハウジング１８の構造的強度を増大させると共に、モータ２０を一定の位置に保持するようになっている。本体部２８の外面には使用者に適当な把持面を与えるフィンガグリップ３８が成形されている。フィンガグリップ３８に近接した位置には柔軟なパッド４２Ａ、４２Ｂを受け入れるリセス４０Ａ、４０Ｂが形成されており、パッド４２Ａ、４２Ｂは使用者の手に伝達される振動を低減する。パッド４２Ａ、４２Ｂはゴムやシリコーン材料にて形成されていてよく、適当な接着剤により本体部２８に接着されていることが好ましい。
【００２１】
モータ制御組立体２２はハウジング１８内に於いて直流モータ２０に供給される電力の流れを制御することによってマッサージ装置１０の作動を制御する。電力はベース部２６に設けられたケーブル孔４６を経てモータハウジング１８内へ延在する導電ケーブル４４を経てモータ制御組立体２２により受けられ、導電ケーブル４４は標準的な三股アダプタ４５を有する病院用三相電源コードであることが好ましい。導電ケーブル４４に過剰な曲げや引張りが作用することを防止する歪解放部材４７が導電ケーブル４４のベース部、即ちケーブル孔４６に入る部分を囲繞している。
【００２２】
当技術分野に於いてよく知られている如く、モータ制御組立体２２はモータ２０へ供給される電力を制御するための電圧変更ポテンショメータ４８及び対応する回路を含んでいる（図１（Ｂ）参照）。回転式の制御軸５２がベース部２６に設けられた孔５４を貫通して突出するよう、ポテンショメータ４８はベース部２６の内面５０に近接して配置されている。図２に最もよく図示されている如く、同心のねじスリーブ５６がナット５８Ａ、５８Ｂ及びロックワッシャ６０を受けるよう制御軸５２の下方部を囲繞している。ポテンショメータ４８がハウジング１８内に配置された後にナット５８Ａが締め付けられることによってロックワッシャ６０がベース部２６の内面に当接した状態に固定されるよう、ポテンショメータ４８が配置される前にナット５８Ａ及びロックワッシャ６０がスリーブ５６の周りにねじ付けられる。適正に配置された後に制御軸５２にねじ付けられたナット５８Ｂがベース部２６の外面に直接当接するよう締め付けられ、これにより制御軸５２及びポテンショメータ４８がハウジング１８に固定される。
【００２３】
モータ２０の作動は制御軸５２の突出部に締り嵌めされた制御ノブ６２を介して制御される。制御ノブ６２が回転されるとこれに対応して制御軸５２が回転され、これによりポテンショメータ４８内の電圧レベルが変更される。モータ２０の運転速度はポテンショメータ４８内の電圧レベルに比例するので、制御ノブ６２が徐々にオン方向へ回転されると、ポテンショメータ４８内の電圧レベルが増大され、これに対応してモータ２０の出力軸６４の回転速度が増大される。出力軸６４の回転運動はアダプタ収容部３０内に取り付けられたバイブレータヘッド組立体１４の部材に直接伝達される。
【００２４】
バイブレータヘッド組立体１４（図８）は駆動軸６６と、後側軸受プレート６８と、釣合い錘を有する偏心部材７０と、前側軸受プレート７２とを含んでいる。バイブレータヘッド組立体１４の前端７４がハウジング１８の前縁７６を越えて延在するよう、バイブレータヘッド組立体１４が駆動軸６６の周りに組み付けられ、アダプタ収容部３０に装着される。駆動軸６６はバイブレータヘッド組立体１４を貫通して軸線に沿って延在し、モータの出力軸６４と軸線方向に整合された取り付け先端７８を含んでいる。駆動軸６６の取り付け先端７８は、出力軸６４のねじが設けられていない部分の周りに嵌合する大きさに設定されたリセスの肩部８０と、小径のねじ孔８２とを含み、ねじ孔８２は出力軸６４のねじ部に設けられたねじに対応するねじ８４を有している。バイブレータヘッド組立体１４は、出力軸６４のねじ部がねじ孔８２内に完全に受け入れられるまで取り付け先端７８を出力軸６４にねじ込むことにより、出力軸６４に固定される。次いでＣ形クリップ８６が出力軸６４に設けられた環状リセス８８内に装着され、これによりバイブレータヘッド組立体１４が固定される。出力軸６４の回転運動はねじ部を介して直接取り付け先端７８及び駆動軸６６へ伝達される。
【００２５】
取り付け先端７８のすぐ前方には軸受９０及び９２のインナレースが配置され、駆動軸６６の軸受支持部９４の周りに締り嵌めされている。軸受９２のインナレースは駆動軸の中央部９８の後縁に形成された肩部９６に当接している。軸受支持部９４の後端に近接して形成された周溝１００が軸受９０及び９２を軸受支持部９４の所定の位置に保持するスナップリング１０２を受け入れている。
【００２６】
図３に示された後側軸受プレート６８は軸線に沿って延在する中央孔１０４を有し、該中央孔１０４は軸受９０及び９２のアウタレースの周りに締り嵌めされている。図３に示されている如く、後側軸受プレート６８は円筒形の本体部１０６と、駆動軸６６の回転軸線に垂直に延在する拡径された環状フランジ部１０８とを含んでいる。取り付けタブ１１０及び１１２が中央孔１０４の両側にて本体部１０６とフランジ部１０８との間に垂直に一体的に成形されている。各取り付けタブ１１０、１１２はアダプタ収容部３０に近接して内部ボス３４Ａ、３４Ｂの小径の端部１１４の周りに締り嵌めされる大きさのブラケット孔１１０Ａ、１１２Ａを含んでいる。組立てられた状態に於いて内部ボス３４Ａ、３４Ｂを貫通して延在するねじ３２Ａ、３２Ｂがハウジング１８に対し一定の位置に後側軸受プレート６８を固定している。これに対応して後側軸受プレート６８は駆動軸６６を支持している。
【００２７】
軸受９０及び９２の前方に位置する駆動軸６６の中央部９８は前側の軸受９２と釣合い錘を有する偏心部材７０との間のスペーサとして機能する。図４に示された偏心部材７０は成形されたプラスチックにて形成され、駆動軸６６の長手方向に平坦なキー部１２０の周りに締り嵌めされた半円筒形の軸線方向孔１１８を含んでいる。軸線方向孔１１８と平坦なキー部１２０との間の相互係合により偏心部材７０が駆動軸６６に対し相対的に回転することが防止される。実質的に皿形をなす偏心部材７０は外周面１２４に沿って延在する前向きのフランジ１２２と、駆動軸６６の周りに軸線に沿って後方へ延在する後側スリーブ１２６と、平坦なキー部１２０の周りにて前方へ延在する一体的に成形されたオフセットカム１２８とを含んでいる。オフセットカム１２８は図４（Ａ）に最もよく示されている如く、最大オフセットの点１３０が駆動軸６６のキー部１２０の平坦面１３２とは反対の側に位置するよう設けられている。円弧形をなす釣合い錘１３４が前向きのフランジ１２２に形成された窪み１３６内に一体的に固定されており、図４（Ａ）に最もよく示されている如く、約１２０°の円弧範囲に亘り延在し、平坦面１３２に対し垂直に延在している。釣合い錘１３４は鉛の如き稠密な物質にて形成されていることが好ましく、モータ２０の性能を向上させると共に駆動軸６６に沿って伝達される振動を低減するフライホイール効果を発揮する。釣合い錘１３４は偏心部材７０の外周面１２４を越えては延在していない。
【００２８】
偏心部材７０の外周面１２４の前方且つその周りに配置された前側軸受プレート７２（図６参照）は対称形をなし、締り嵌めにより軸受１３８のアウタレースを受け入れる円筒形の軸線方向孔１３６を含んでいる。軸受１３８のインナレースは、前側軸受プレート７２が偏心部材７０の前面に直接近接して装着されるよう、オフセットカム１２８の外周面１４０の周りに締り嵌めされている。図８に示されている如く、軸受１３８のインナレース及びアウタレースの前面は駆動軸６のねじ切りされた端部１４６に嵌合するオフセット孔１４４を有するワッシャ１４２により支持されている。キャッスルナット１４８がねじ切りされた端部１４６にねじ付けられ且つこれに固定されており、これによりワッシャ１４２が前側軸受プレート７２に当接した状態に固定され、また軸受１３８が偏心部材７０に当接した状態にて強固に保持されている。
【００２９】
軸受１３８及びオフセットカム１２８の周りに取り付けられた前側軸受プレート７２は、駆動軸６６及び偏心部材７０の回転によって前側軸受プレート７２が軌道運動にて振動せしめられるよう、偏心状態にて取り付けられている。前側軸受プレート７２はその外周面１５２に沿って前方及び後方へ延在する環状フランジ１５０を含んでいる。環状フランジ１５０の後側部分１５４は、前側軸受プレート７２の振動中の接触を回避するに十分なクリアランスにて偏心部材７０の外周の長手方向部分を囲繞している。環状フランジ１５０の前側部分１５６はフランジ１５０と軸受プレート７２の前面１６２に形成された肩部１６０との間に環状溝１５８を郭定している。軸線方向に延在する大径のねじ孔１６６を有するねじ切りされたアダプタリング１６４（図５参照）が環状溝１５８内に締り嵌めされており、前側軸受プレート７２に接合されている。アダプタリング１６４は図には示されていない種々のマッサージアタッチメントのためのねじ接続点を郭定している。
【００３０】
環状フランジ１５０の前側軸受プレート７２より後方へ延在する部分は両端にて開口した円筒形のゴムブーツ１６８のための前側取り付け点としても機能する。ゴムブーツ１６８は前側軸受プレートの環状フランジ１５０及び後側軸受プレートの環状フランジ１０８の両者の外周面に固定されている。またゴムブーツ１６８はバイブレータヘッド組立体１４を安定化し、前側軸受プレート７２が固定された後側軸受プレート６８に対し相対的に回転運動することを阻止し、しかも前側軸受プレート７２が後側軸受プレート６８に対し相対的に軌道運動にて振動することを許すに十分な弾性を有している。
【００３１】
作動に於いては、携帯型マッサージ装置１０は片手又は両手によりハウジング１８にて把持される。片手のみが必要であることが好ましく、アダプタリング１６４にねじ付けられる種々のマッサージアダプタ（図示せず）が所望の位置にて胸の如き体の一部に接触した状態になるよう、付添い人や患者自身によってマッサージ装置１０を保持することができる。制御ノブ６２がオン位置にあるときには、モータ２０の回転が出力軸６４と駆動軸６６との間の直接接続部を経てバイブレータヘッド組立体１４へ直接伝達される。固定された後側軸受プレート６８の中央孔１０４内の所定の位置に保持された軸受９０及び９２により駆動軸６６の軸線方向の支持が与えられる。
【００３２】
駆動軸６６の回転により後側軸受プレート６８の前方に固定された偏心部材７０が回転駆動される。偏心部材７０の前面に設けられたオフセットカム１２８が偏心部材７０の回転中軌道に沿って運動する。これに対応してオフセットカム１２８の周りにて軸受１３８に装着された前側軸受プレート７２が軌道運動にて振動する。アダプタリング１６４にねじ付けられたマッサージアダプタが前側軸受プレートと同一の軌道運動にて振動する。
【００３３】
マッサージ装置１０及びマッサージアダプタが体の表面へ向けて移動され体の表面を横切って移動されると、マッサージアダプタはそれが適用される体の表面に対し垂直な成分及び平行な成分により発生される傾斜した力を患者に付与する。この運動により患者の体に打力が与えられると共に、体の表面を横切る或る方向のストローク力が与えられる。ストローク力の方向はマッサージアダプタの軌道運動の方向次第であり、アダプタが体を横切って移動する方向である。
【００３４】
マッサージアダプタの打力は気管支の分泌物を緩くし、ストローク力はその方向に分泌物が移動し易くする効果を有する。かくして気管支の分泌物が或る領域より所望の方向へ移動し易くなるよう、マッサージ装置１０を所望の位置にて胴体に当接した状態に配置することができる。
【００３５】
またマッサージ装置は脚の如き体の各部に於ける血行を改善するためも使用可能である。この場合マッサージアダプタが血行をよくすることが必要な方向のストロークを有するよう、マッサージアダプタは血液の循環が改善される必要がある位置にて脚に沿って配置される。オフセットカム１２８はバイブレータヘッド組立体１４内に於いて振動すると血液が血管を経て所定の方向へ強制的に流されるよう、前側軸受プレート７２及び取り付けられたマッサージアダプタが血管に力を付与する。従って脚より心臓又は体の他の領域へ向けて血液の流れが促進されるようマッサージ装置１０を配置することができる。
【００３６】
マッサージ装置１０の作動中には、手や体の他の部分がマッサージ装置１０の可動部品により損傷されることがハウジング１８のアダプタ収容部３０により防止される。更に本体部２８の外面に取り付けられた柔軟なパッド４２Ａ、４２Ｂ及び偏心部材７０に設けられた釣合い錘１３４が、オフセットカム１２８により発生される振動運動より使用者の手を絶縁する。駆動軸６６とモータの出力軸６４との間の直接接続部を経て伝達される振動を実質的に低減することにより、繰り返し運動により使用者に損傷が与えられる虞れが低減される。
【００３７】
アダプタリング１６４にねじ付けられる種々のマッサージアダプタは、体の種々の部位に種々の強度にて振動力及び打力を与えるよう構成された種々の形状及び大きさのアダプタを含んでいてよい。現在使用されているマッサージアダプタをアダプタリング１６４よりねじ回して取り外し、所望の特徴を有する他のマッサージアダプタをねじ付けることにより、マッサージアダプタを迅速に且つ容易に交換することができる。
【００３８】
以上に於いては本発明を特定の実施形態について詳細に説明したが、本発明は上述の実施形態に限定されるものではなく、本発明の範囲内にて他の種々の実施形態が可能であることは当業者にとって明らかであろう。
【図面の簡単な説明】
【図１】（Ａ）は本発明による携帯型手持ち式マッサージ装置の分解図であり、（Ｂ）は速度制御装置とモータとの間の電気接続を示す結線図である。
【図２】（Ａ）はモータハウジングの右側の内部構造を示す側面図であり、（Ｂ）はモータハウジングの左側の内部構造を示す側面図である。
【図３】（Ａ）は後側軸受プレートの側面図であり、（Ｂ）は（Ａ）に示された後側軸受プレートの側面図及び断面図であり、（Ｃ）は（Ｂ）に示された後側軸受プレートの平面図である。
【図４】（Ａ）は偏心部材の平面図であり、（Ｂ）は（Ａ）に示された偏心部材の側面図である。
【図５】（Ａ）はアダプタリングの底面図であり、（Ｂ）は（Ａ）に示されたアダプタリングの断面図である。
【図６】前側軸受プレートの断面図である。
【図７】駆動軸の側面図である。
【図８】組立てられた状態のバイブレータヘッド組立体の断面図である。
【符号の説明】
１０…マッサージ装置
１２…モータ組立体
１４…バイブレータヘッド組立体
１８…モータハウジング
２０…モータ
２２…モータ制御組立体
４８…ポテンショメータ
６４…出力軸
６６…駆動軸
６８…後側軸受プレート
７０…偏心部材
７２…前側軸受プレート
９０、９２…軸受
１２８…オフセットカム
１３４…釣合い錘
１６４…アダプタリング
１６８…ゴムブーツ
【図１】
0004102496.tif 000002
【図２】
0004102496.tif 000003
【図３】
0004102496.tif 000004
【図４】
0004102496.tif 000005
【図５】
0004102496.tif 000006
【図６】
0004102496.tif 000007
【図７】
0004102496.tif 000008
【図８】
0004102496.tif 000009